(57)【要約】      （修正有）【課題】撮像条件変更画面において撮像条件を変更後に、さらに継続して撮像条件を変更することを可能にした撮像装置の提供。【解決手段】撮影が可能である待機状態と、待機状態から、撮像条件変更画面に遷移する第一の遷移手段と、撮像条件を変更する撮像条件変更手段と、撮像条件の変更を決定する決定手段と、撮像条件を決定した旨を所定時間表示する決定内容表示手段と、表示された内容の表示時間が、所定時間経過したかどうかを判定する判定手段と、所定時間経過したと判定された場合に、撮像条件変更画面から待機状態に遷移する第二の遷移手段と、所定時間が経過していない間に、撮像条件変更が指示されたことを検知する割込検知手段と、撮像条件変更指示があったか否かを判定する割込判定手段と、撮像条件変更指示があったと判定された場合に、撮像条件を変更し、所定時間が経過したと判定された後、撮像条件の変更を決定する制御手段とを備える撮像装置。【選択図】図１
2012147359.tif 000002
【特許請求の範囲】
【請求項１】
撮影動作を行なうと撮影が可能である待機状態（Ｓ１００１）と、
前記待機状態から、撮像条件を変更するための撮像条件変更画面に遷移する第一の遷移手段（Ｓ１００３）と、
前記撮像条件変更画面で撮像条件を変更する撮像条件変更手段（Ｓ１００４）と、
前記変更手段で変更された撮像条件の変更を決定する決定手段（Ｓ１００５）と、
前記設決定手段により撮像条件を決定した旨を所定時間表示する決定内容表示手段（Ｓ１００６）と、
前記決定内容表示手段で表示された内容の表示時間が、前記所定時間経過したかどうかを判定する判定手段（Ｓ１１０３）と、
前記判定手段により前記所定時間経過したと判定された場合に、前記撮像条件変更画面から前記待機状態に遷移する第二の遷移手段（Ｓ１２０３）と、
前記判定手段により前記所定時間が経過していない間に、前記撮像条件変更により撮像条件変更が指示されたことを検知する割込検知手段（５０）と、
前記割込検知手段によって前記撮像条件変更指示があったか否かを判定する割込判定手段（Ｓ１１０１）と、
前記割込判定手段による前記撮像条件変更指示があったと判定された場合に、
前記撮像条件変更手段により撮像条件を変更し（Ｓ１１０２）、
前記判定手段により所定時間が経過したと判定された後、
前記決定手段により撮像条件の変更を決定するよう制御する制御手段（Ｓ１２０１）と、
を備える撮像装置。
【発明の詳細な説明】
【技術分野】
【０００１】
本発明は、撮像装置の制御方法に関し、特に撮像条件に関する設定値の変更に関するものである。
【背景技術】
【０００２】
近年、静止画像や動画像を撮影してデジタルデータとして記録することが可能なデジタルスチルカメラやデジタルビデオカメラが広く普及している。このような機器では、例えばフォーカスや露出などの撮像条件を自動的に調整するものが多いが、これらの調整値をマニュアル設定できるものも増えてきており、さらにマニュアル設定可能な設定項目を複数備える機器も現れている。また、背面部に液晶画面を備え、液晶画面に表示されるＧＵＩ画面とデジタルカメラ筺体が備える操作部材を用いることで、各撮像条件を変更するものがある。
【０００３】
そのような各撮像条件の変更に関して、例えば、操作部材を操作する時間の長短によって、ＧＵＩ画面の遷移先を変更する制御方法が開示されている。（例えば特許文献１）
【先行技術文献】
【特許文献】
【０００４】
【特許文献１】特開２００６−１９１２３５号公報
【発明の概要】
【発明が解決しようとする課題】
【０００５】
しかしながら、前記のようにＧＵＩ画面上で撮像条件を行なう場合、その画面遷移にはある程度の時間を要する。そのため、撮像条件の変更を決定した後、さらに継続して撮像条件を変更する場合、画面遷移の完了を待つ必要があった。また、画面遷移の時間を短縮するためには、デジタルカメラに処理速度の高い制御装置を備える必要があるが、コストが掛かるという課題があった。
【０００６】
上述の特許文献に開示された従来技術では、ユーザに対してＧＵＩ画面の使い勝手を向上させているものの、上記課題を解決するものではない。
【０００７】
従って、本発明の目的は、撮像条件変更画面において撮像条件を変更後に、さらに継続して撮像条件を変更することを可能にした撮像装置を提供することにある。
【課題を解決するための手段】
【０００８】
上記目的を達成するための本発明に係る撮像装置の構成は、
撮影動作を行なうと撮影が可能である待機状態と、
前記待機状態から、撮像条件を変更するための撮像条件変更画面に遷移する第一の遷移手段と、
前記撮像条件変更画面で撮像条件を変更する撮像条件変更手段と、
前記変更手段で変更された撮像条件の変更を決定する決定手段と、
前記設決定手段により撮像条件を決定した旨を所定時間表示する決定内容表示手段と、
前記決定内容表示手段で表示された内容の表示時間が、前記所定時間経過したかどうかを判定する判定手段と、
前記判定手段により前記所定時間経過したと判定された場合に、前記撮像条件変更画面から前記待機状態に遷移する第二の遷移手段と、
前記判定手段により前記所定時間が経過していない間に、前記撮像条件変更により撮像条件変更が指示されたことを検知する割込検知手段と、
前記割込検知手段によって前記撮像条件変更指示があったか否かを判定する割込判定手段と、
前記割込判定手段による前記撮像条件変更指示があったと判定された場合に、
前記撮像条件変更手段により撮像条件を変更し、
前記判定手段により所定時間が経過したと判定された後、
前記決定手段により撮像条件の変更を決定するよう制御する制御手段と、
を備えることを特徴とする。
【発明の効果】
【０００９】
本発明の撮像装置によれば、撮像条件変更画面上での使い勝手の良い撮像条件変更手段を提供することが可能となる。
【図面の簡単な説明】
【００１０】
【図１】本撮像装置の構成例を示したブロック図である。
【図２】実施例１の制御フローチャートである。
【図３】絞り値Ｆ５．６である場合の撮影待機状態である。
【図４】絞り値を示すＦ５．６にフォーカスを合わせた状態である。
【図５】絞り値Ｆ５．６である場合の絞り値変更画面である。
【図６】絞り値Ｆ８．０である場合の絞り値変更画面である。
【図７】絞り値Ｆ８．０への変更を決定した旨を示す強調表示を行なう画面である。
【図８】図７の状態において、絞り値変更操作によって絞り値Ｆ１０に変更されたことを示す画面である。
【図９】絞り値Ｆ１０である場合の撮影待機状態である。
【発明を実施するための形態】
【００１１】
以下に、本発明の好ましい実施の形態を、添付の図面に基づいて詳細に説明する。図１は、本発明の実施形態にかかわる撮像装置の回路構成を示すブロック図である。
【００１２】
この撮像装置は、具体的にはデジタル一眼レフカメラ１００である。
【００１３】
１２はシャッター、１４は撮像素子、１６はＡ／Ｄ変換器、１８はタイミング発生回路、２０は画像処理回路、２２はメモリ制御回路、２４は画像表示メモリ、２６はＤ／Ａ変換器、２８は画像表示部、３０はメモリ、３２は画像圧縮・伸長回路である。
【００１４】
４０はシャッター制御手段、４２は測距手段、４６は測光手段、４８はフラッシュである。
【００１５】
５０は表示内容切替情報により表示項目を判断する手段であるシステム制御回路、５２はメモリ、５３は複数の表示部である表示部、５４、５５はＬＣＤ、５６は、記憶手段である不揮発性メモリである。
【００１６】
６２はシャッタースイッチＳＷ１、６４はシャッタースイッチＳＷ２、６６は、表示切替変更手段である表示内容切替スイッチである。
【００１７】
７０は操作部、７２は電源スイッチである。
【００１８】
８０は電源制御手段、８２、８４はコネクタ、８６は電源手段である。
【００１９】
９０はインタフェース、９２はコネクタ、９４はインタフェース、９６はコネクタ、９８は記録媒体着脱検知手段である。
【００２０】
１０４は光学ファインダ、１０６は、後述のレンズユニット３００と前記撮像装置１００とを機械的に結合させるレンズマウントである。
【００２１】
１１０は通信手段、１１２はコネクタ（またはアンテナ）である。
【００２２】
１２０はインタフェース、１２２はコネクタ、１３０、１３２はミラーである。
【００２３】
２００は記録媒体、２０２は記録部、２０４はインタフェース、２０６はコネクタである。
【００２４】
３００はレンズユニット、３０６はレンズマウント、３１０は撮影レンズ、３１２は絞り、３２０はインタフェース、３２２はコネクタである。
【００２５】
３４０は絞り制御手段、３４２は測距制御手段、３４４はズーム制御手段、３５０はレンズシステム制御回路である。
【００２６】
シャッター１２は、撮像素子１４への露光量を制御し、撮像素子１４は、光学像を電気信号に変換する。
【００２７】
レンズ３１０に入射した光線は、一眼レフ方式によって、絞り３１２、レンズマウント３０６及び１０６、ミラー１３０、シャッター１２を介して導かれ、光学像として撮像素子１４上に結合することができる。
【００２８】
Ａ／Ｄ変換器１６は、撮像素子１４のアナログ信号出力をデジタル信号に変換する。
【００２９】
タイミング発生回路１８は、撮像素子１４、Ａ／Ｄ変換器１６、Ｄ／Ａ変換器２６にクロック信号や制御信号を供給し、メモリ制御回路２２及びシステム制御回路５０により制御される。
【００３０】
画像処理回路２０は、Ａ／Ｄ変換器１６からのデータ或いはメモリ制御回路２２からのデータに対して、所定の画素補間処理や色変換処理を行う。
【００３１】
また、画像処理回路２０においては、必要に応じて、撮像した画像データを用いて所定の演算処理を行い、得られた演算結果に基づいて、システム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュ調光）処理を行うことができる。
【００３２】
さらに、画像処理回路２０においては、撮像した画像データを用いて所定の演算処理を行い、得られた演算結果に基づいて、ＴＴＬ方式のＡＷＢ（オートホワイトバランス）処理も行っている。
【００３３】
なお、本実施例において、測距手段４２及び測光手段４６を専用に備えている。従って、測距手段４２及び測光手段４６を用いてＡＦ処理、ＡＥ処理、ＥＦ処理の各処理を行い、上記画像処理回路２０を用いてＡＦ処理、ＡＥ処理、ＥＦ処理の各処理を行わない構成としても良い。
【００３４】
或いは、測距手段４２及び測光手段４６を用いてＡＦ処理、ＡＥ処理、ＥＦ処理の各処理を行い、さらに、上記画像処理回路２０を用いてＡＦ処理、ＡＥ処理、ＥＦ処理の各処理を行う構成としても良い。
【００３５】
メモリ制御回路２２は、Ａ／Ｄ変換器１６、タイミング発生回路１８、画像処理回路２０、画像表示メモリ２４、Ｄ／Ａ変換器２６、メモリ３０、画像圧縮・伸長回路３２を制御する。
【００３６】
Ａ／Ｄ変換器１６のデータが、画像処理回路２０、メモリ制御回路２２を介して、或いは、Ａ／Ｄ変換器１６のデータが直接メモリ制御回路２２を介して、画像表示メモリ２４或いはメモリ３０に書き込まれる。
【００３７】
画像表示メモリ２４に書き込まれた表示用の画像データは、Ｄ／Ａ変換器２６を介して、ＴＦＴ、ＬＣＤ等から成る画像表示部２８により表示される。
【００３８】
画像表示部２８を用いて、撮像した画像データを逐次表示すれば、電子ファインダ機能を実現することが可能である。
【００３９】
また、画像表示部２８は、システム制御回路５０の指示により、任意に表示をＯＮ／ＯＦＦすることが可能であり、表示をＯＦＦにすることによって、撮像装置１００の電力消費を低減することができる。
【００４０】
メモリ３０は、撮影した静止画像や動画像を格納するためのメモリであり、所定枚数の静止画像や所定時間の動画像を格納するのに十分な記憶量を備えている。
【００４１】
これにより、複数枚の静止画像を連続して撮影する連写撮影やパノラマ撮影の場合にも、高速かつ大量の画像書き込みをメモリ３０に対して行うことが可能となる。
【００４２】
また、メモリ３０は、システム制御回路５０の作業領域としても使用することが可能である。
【００４３】
画像圧縮・伸長回路３２は、適応離散コサイン変換（ＡＤＣＴ）等により、画像データを圧縮伸長する回路であり、メモリ３０に格納された画像を読み込んで圧縮処理或いは伸長処理を行い、処理を終えたデータをメモリ３０に書き込む。
【００４４】
シャッター制御手段４０は、測光手段４６からの測光情報に基づいて、絞り３１２を制御する絞り制御手段３４０と連携しながら、シャッター１２を制御する。
【００４５】
測距手段４２は、ＡＦ処理を行うための手段であり、レンズ３１０に入射した光線を、一眼レフ方式によって、絞り３１２、レンズマウント３０６及び１０６、ミラー１３０、及び不図示の測距用サブミラーを介して、測距手段４２に入射させることにより、光学像として結像された画像の合焦状態を測定することができる。
【００４６】
測光手段４６は、ＡＥ処理を行うための手段であり、レンズ３１０に入射した光線を、一眼レフ方式によって、絞り３１２、レンズマウント３０６及び１０６、ミラー１３０及び１３２及び不図示の測光用レンズを介して、測光手段４６に入射させることにより、光学像として結像された画像の露出状態を測定することができる。
【００４７】
また、測光手段４６は、フラッシュ４８と連携することにより、ＥＦ処理機能も有するものである。
【００４８】
フラッシュ４８は、ＡＦ補助光の投光機能、フラッシュ調光機能も有する。
【００４９】
なお、撮像素子１４によって撮像した画像データを画像処理回路２０によって演算した演算結果に基づいて、システム制御回路５０がシャッター制御手段４０、絞り制御手段３４０、測距制御手段３４２に対して制御を行うビデオＴＴＬ方式を用いて、露出制御及びＡＦ制御を行うことも可能である。
【００５０】
また、測距手段４２による測定結果と、撮像素子１４によって撮像した画像データを画像処理回路２０によって演算した演算結果とを共に用いて、ＡＦ制御を行っても構わない。
【００５１】
さらに、測光手段４６による測定結果と、撮像素子１４によって撮像した画像データを画像処理回路２０によって演算した演算結果とを共に用いて、露出制御を行っても構わない。
【００５２】
システム制御回路５０は、撮像装置１００全体を制御し、メモリ５２は、システム制御回路５０でのプログラムの実行に応じて、文字、画像、音声等を用いて動作状態やメッセージ等を表示する液晶表示装置、或いはスピーカー等の表示部であり、撮像装置１００の操作部近辺の視認し易い位置に単数或いは複数個所設置され、例えばＬＣＤやＬＥＤ、発音素子等の組み合わせにより構成されている。
【００５３】
また、表示部５３は、その一部の機能が光学ファインダ１０４内に設置されている。
【００５４】
表示部５３の表示内容のうち、ＬＣＤ５４或いは５５等に表示するものとしては、例えば、ＩＳＯ感度、調光補正値、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、エラー表示、複数桁の数字による情報表示、記録媒体２００及び２１０の着脱状態表示、レンズユニット３００の着脱状態表示、通信Ｉ／Ｆ動作表示、日付・時刻表示、外部コンピュータとの接続状態を示す表示、等がある。
【００５５】
また、表示部５３の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り表示、露出補正表示、記録媒体書き込み動作表示、等がある。
【００５６】
さらに、表示部５３の表示内容のうち、ＬＥＤ等に表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電状態表示、等がある。
【００５７】
さらに、表示部５３の表示内容のうち、ランプ等に表示するものとしては、例えば、セルフタイマー通知ランプ、等がある。このセルフタイマー通知ランプは、ＡＦ補助光として共有して用いても良い。
【００５８】
不揮発性メモリ５６は、電気的に消去・記録可能であり、例えばＥＥＰＲＯＭ等が用いられる。
【００５９】
操作手段６２、６４、６６及び７０は、システム制御回路５０の各種動作の指示を入力するための手段であり、スイッチやダイヤル、タッチパネル、視線検知によるポインティング、音声認識装置等の単数或いは複数の組み合わせで構成される。
【００６０】
ここで、これらの操作手段の具体的な説明を行う。
【００６１】
シャッタースイッチ６２（ＳＷ１）は、不図示のシャッターボタンの操作途中でＯＮとなり、ＡＦ処理、ＡＥ処理、ＡＷＢ処理、ＥＦ処理等の動作開始を指示する。
【００６２】
シャッタースイッチ６４（ＳＷ２）は、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、画像圧縮・伸長回路３２で圧縮を行い、記録媒体２００或いは２１０に画像データを書き込む記録処理という一連の処理の動作開始を指示する。
【００６３】
表示内容切替スイッチ６６は、ＬＣＤ５４及び５５の表示内容のうち、一部の表示内容を変更することができる。
【００６４】
なお、その表示内容を変更する情報、すなわち表示内容切替スイッチ６６の設定状態が表示内容切替情報であって、不揮発性メモリ５６に保存される。
【００６５】
操作部７０は、各種ボタンやタッチパネル等からなり、メニューボタン、セットボタン、録音ボタン、プロテクトボタン、消去ボタン、マクロボタン、ＩＳＯ感度選択ボタン、マルチ画面再生改ページボタン、フラッシュ設定ボタン、単写／連写／セルフタイマー切替ボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時刻設定ボタン、パノラマモード等の撮影及び再生を実行する際に、各種機能の決定及び実行を設定する決定／実行ボタン、画像データを保存するフォルダの作成を行うフォルダ作成ボタン、撮影した画像データを保存するフォルダを変更するフォルダ選択／切替ボタン、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチ、ＪＰＥＧ圧縮の圧縮率を選択するため或いは撮像素子の信号をそのままデジタル化して記録媒体に記録するＣＣＤＲＡＷモードを選択するためのスイッチである圧縮モードスイッチ、再生モード、マルチ画面再生・消去モード、ＰＣ接続モード等の各機能モードを設定することができる再生スイッチ、シャッタースイッチＳＷ１を押した場合にオートフォーカス動作を開始し、一旦合焦したらその合焦状態を保ち続けるワンショットＡＦモードとシャッタースイッチＳＷ１を押している間は連続してオートフォーカス動作を続けるサーブＡＦモードとを設定することができるＡＦモード設定スイッチ、自動撮影モード・プログラム撮影モード・シャッター速度優先撮影モード・絞り優先撮影モード・マニュアル撮影モード・焦点深度優先（デプス）撮影モード・ポートレート撮影モード・風景撮影モード・被写撮影モード・スポーツ撮影モード・夜景撮影モード・パノラマ撮影モード等の各機能撮影モードを切替設定することができるモードダイヤルスイッチ、撮影モード状態において撮影した画像をメモリ３０或いは記録媒体２００から読み出して画像表示部２８によって表示する再生動作の開始を指示する再生スイッチ等がある。
【００６６】
また、上記プラスボタン及びマイナスボタンの各機能は、回転ダイヤルスイッチを備えることによって、より軽快に数値や機能を選択することが可能となる。
【００６７】
電源スイッチ７２は、撮像装置１００の電源オン、電源オフの各モードを切替設定することができる。
【００６８】
また、撮像装置１００に接続されたレンズユニット３００、外部ストロボ、記録媒体２００、２１０等の各種付属装置の電源オン、電源オフの設定も合わせて、切替設定することができる。
【００６９】
電源制御手段８０は、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００７０】
電源手段８６は、アルカリ電池やリチウム電池等の一次電池や、ＮｉＣｄ電池やＮｉＭＨ電池、Ｌｉ電池等の二次電池、ＡＣアダプタ等から成る。
【００７１】
インタフェース９０及び９４、コネクタ９２及び９６は、メモリカードやハードディスク等の記録媒体２００と撮像装置１００との接続を行い、記録媒体着脱検知手段９８は、コネクタ９２及び／或いは９６に記録媒体２００が装着されているか否かを検知する。
【００７２】
インタフェース及びコネクタとしては、ＰＣＭＣＩＡカードやＣＦ（コンパクトフラッシュ（登録商標））カード等の規格に準拠したものを用いて構成しても構わない。
【００７３】
さらに、インタフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカードＰＨＳ等の通信カード、等の各種通信カードを接続することにより、他のコンピュータやプリンタ等の周辺機器との間で、画像データや画像データに付属した管理情報を転送し合うことができる。
【００７４】
光学ファインダ１０４は、レンズ３１０に入射した光線を、一眼レフ方式によって、絞り３１２、レンズマウント３０６及び１０６、ミラー１３０及び１３２を介して導き、光学像として結像表示することができる。
【００７５】
これにより、画像表示部２８による電子ファインダ機能を使用すること無しに、光学ファインダ１０４のみを用いて撮影を行うことが可能である。
【００７６】
また、光学ファインダ１０４内には、表示部５３の一部の機能、例えば、合焦表示、手振れ警告表示、フラッシュ充電表示、シャッタースピード表示、絞り値表示、露出補正表示などが設置されている。
【００７７】
通信手段１１０は、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００７８】
コネクタ（或いは無線通信の場合はアンテナ）１１２は、通信手段１１０により撮像装置１００を他の機器と接続する。
【００７９】
インタフェース１２０は、レンズマウント１０６内において、撮像装置１００をレンズユニット３００と接続するためのインタフェース、コネクタ１２２は、撮像装置１００をレンズユニット３００と電気的に接続するコネクタである。
【００８０】
コネクタ１２２は、撮像装置１００とレンズユニット３００との間で制御信号、状態信号、データ信号等を伝え合うと共に、各種電圧の電流を供給する機能も備えている。
【００８１】
また、コネクタ１２２は電気通信のみならず、光通信、音声通信等を伝達する構成としても良い。
【００８２】
ミラー１３０、１３２は、レンズ３１０に入射した光線を、一眼レフ方式によって光学ファインダ１０４に導くことができる。
【００８３】
なお、ミラー１３２は、クイックリターンミラーの構成としても、ハーフミラーの構成としても、どちらでも構わない。
【００８４】
記録媒体２００は、メモリカードやハードディスク等である。
【００８５】
記録媒体２００は、半導体メモリや磁気ディスク等から構成される記録部２０２、撮像装置１００とのインタフェース２０４、撮像装置１００と接続を行うコネクタ２０６を備えている。
【００８６】
レンズユニット３００は、交換レンズタイプのレンズユニットである。
【００８７】
レンズマウント３０６は、レンズユニット３００を撮像装置１００と機械的に結合する。
【００８８】
レンズマウント３０６内には、レンズユニット３００を撮像装置１００と電気的に接続する各種機能が含まれている。
【００８９】
インタフェース３２０は、レンズマウント３０６内において、レンズユニット３００を撮像装置１００と接続するためのインタフェース、コネクタ３２２は、レンズユニット３００を撮像装置１００と電気的に接続するコネクタである。
【００９０】
コネクタ３２２は、撮像装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００９１】
絞り制御手段３４０は、測光手段４６からの測光情報に基づいて、シャッター１２を制御するシャッター制御手段４０と連携しながら、絞り３１２を制御する。
【００９２】
測距制御手段３４２は、撮影レンズ３１０のフォーカシングを制御し、ズーム制御手段３４４は、撮影レンズ３１０のズーミングを制御する。
【００９３】
レンズシステム制御回路３５０は、レンズユニット３００全体を制御する。
【００９４】
レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各種設定値などを保持する不揮発性メモリの機能も備えている。
【００９５】
［実施例１］
以下、図２〜７を参照して、本発明の第1の実施例による、撮像装置の動作について説明する。ここでは、変更対象の撮影条件として、カメラの絞り値を例に説明する。
【００９６】
図２のステップＳ１００１は撮影待機状態であり、例えば図３のような画面である。この状態は、図１の６２、６３を操作することで、撮影操作が可能な状態である。
【００９７】
次に、図２のステップＳ１００３にて、撮像条件変更画面へ遷移する。例えば、図４のように絞り値を示すＦ５．６にフォーカスを合わせた状態で決定すると、絞り値変更画面である図５へ遷移する。
【００９８】
次に、図２のステップＳ１００４にて、撮像条件変更画面で撮像条件を変更する。例えば絞り値Ｆ５．６をＦ８．０に変更すると、図５の状態から図６の状態に変更される。
【００９９】
次に、図２のステップＳ１００５にて、前記変更した撮像条件を決定する。例えば、図１の６２、６３を操作することで、図６で変更した絞り値を決定する。
【０１００】
次に、図２のステップＳ１００６にて、ステップＳ１００５における決定操作を受けて、前記撮像条件変更画面から前記撮影待機状態に遷移するまでの所定時間に、ステップ１００５の決定操作が受理されたことをユーザに示す。例えば、図７のように、変更決定した撮像条件を示す表示を光らせるなどの、なんらかの強調表示を行なうことが考えられる。ただし、ステップＳ１００５は、あくまでも撮像装置の処理状態をユーザに理解させるための処理であるため、ステップＳ１００６の処理を行なわなくても、本発明の実施に支障はない。
【０１０１】
次に、図２のステップＳ１１０１にて、前記所定時間に前記決定された撮像条件に対する変更操作の割込が発生したか否かを判定する処理を行なう。ここで、ステップＳ１１０１において、発生したと判定された場合はステップＳ１１０２に進む。ステップＳ１１０１において、発生しなかったと判定された場合はステップＳ１１０３に進む。
【０１０２】
次に、図２のステップＳ１１０２にて、前記割込が発生した変更操作に従って、対象の撮像条件を変更する。例えば、図７で絞り値Ｆ８．０であった状態を図８のようにＦ１０に変更する。
【０１０３】
次に、図２のステップＳ１１０３にて、前記所定時間が経過したか否かを判定する。所定時間が経過したと判定された場合はステップＳ１２０１へ進む。所定時間が経過していないと判定された場合は前記ステップ１１０１へ戻り、再度撮像条件変更操作の割込が発生したか否かの判定処理を行なう。
【０１０４】
次に、図２のステップＳ１２０１にて、最終的な撮像条件の変更を決定する。
【０１０５】
次に、図２のステップＳ１２０３にて、前記撮影待機状態へ遷移する。例えば、図８から図９への遷移である。図９は図３と同様に撮影待機状態であるが、これまでの一連の変更操作により、絞り値がＦ５．６からＦ１０に変更されている。
【０１０６】
ここで、図８からの遷移先を図４のような撮影条件を選択する画面に遷移させてもよい。そうすることにより、別の撮影条件変更の処理をすばやく行なうことが可能になる。
【０１０７】
以上の処理により、撮像条件変更画面において撮像条件を変更後に、撮影待機状態に戻るまでの間に、さらに継続して撮像条件を変更することが可能になる。
【０１０８】
これにより、画面遷移にある程度の時間を要する場合においても、ユーザに使い勝手の良い撮像条件変更手段を提供することができる。
【０１０９】
なお、システム制御回路５０の制御は１つのハードウェアが行ってもよいし、複数のハードウェアが処理を分担することで、装置全体の制御を行ってもよい。
【０１１０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１１１】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１１２】
１００  デジタル一眼レフカメラ
１２  シャッター
１４  撮像素子
【図１】
2012147359.tif 000003
【図２】
2012147359.tif 000004
【図３】
2012147359.tif 000005
【図４】
2012147359.tif 000006
【図５】
2012147359.tif 000007
【図６】
2012147359.tif 000008
【図７】
2012147359.tif 000009
【図８】
2012147359.tif 000010
【図９】
2012147359.tif 000011